(57)【要約】【課題】より確実な防水性を得る。【解決手段】上下に隣接して上下端面同士が突きつけられた一対の外壁材１，１の連結構造である。前記上下端面の間に配設されて前記一対の外壁材に係合する係合部を備えるとともに建物の躯体側に固定される留め金具によって前記一対の外壁材がその全幅に亘って前記躯体側に留め付けられている。前記下方側外壁材と前記留め金具との間並びに前記上方側外壁材と前記留め金具との間には、これらの間をそれぞれ水密とするシール材が前記外壁材の全幅に亘ってそれぞれ配されている。【選択図】図１
2017002461.tif 000002
【特許請求の範囲】
【請求項１】
上下に隣接して上下端面同士が突きつけられた一対の外壁材の連結構造であって、
前記上下端面の間に配設されて前記一対の外壁材に係合する係合部を備えるとともに建物の躯体側に固定される留め金具によって前記一対の外壁材がその全幅に亘って前記躯体側に留め付けられており、
前記下方側外壁材と前記留め金具との間並びに前記上方側外壁材と前記留め金具との間には、これらの間をそれぞれ水密とするシール材が前記外壁材の全幅に亘ってそれぞれ配されていることを特徴とする外壁材の連結構造。
【請求項２】
前記一対の外壁材の上下端面間の隙間には、前記シール材よりも外方側においてシーリングが施されていることを特徴とする請求項１に記載の外壁材の連結構造。
【請求項３】
前記一対の外壁材の上下端面間の隙間には、前記シール材よりも外方側に外気と略等圧の等圧空間が設けられていることを特徴とする請求項１に記載の外壁材の連結構造。
【請求項４】
上方側の外壁材の下端面には表実部と該表実部の裏側に位置する係止溝が形成され、下方側の外壁材の上端面には裏実部が形成されており、
前記留め金具の前記係合部は、前記躯体側に固定される固定部から外方に突出して前記上方側の外壁材の下端面と前記下方側の外壁材の裏実部との間に前記一対の外壁材の全幅に亘って配設される長尺の突出片と、
該突出片から上方に延びて前記係止溝に係止する係止片と、
前記突出片から下方に延びて前記下方側の外壁材の裏実部の外面側に対向する対向片と、を有しており、
前記シール材は、前記係合部と前記上方側の外壁材の下端面との間及び前記係合部と前記下方側の外壁材の前記裏実部との間に、前記一対の外壁材の全幅に亘って配されていることを特徴とする請求項１乃至３のいずれか１項に記載の外壁材の連結構造。
【請求項５】
上下に隣接して上下端面同士が突きつけられる一対の外壁材を建物の躯体側に留め付ける外壁材用留め金具であって、
前記躯体側に固定される固定部と、該固定部から外方に突出して前記上下の外壁材の上下端面の間で前記一対の外壁材に係合する係合部とを備えて前記一対の外壁材をその全幅に亘り前記躯体に留め付けるものであるとともに、上方側の外壁材に接するシール材と、下方側の外壁材に接するシール材とを前記外壁材の全幅方向の全長に亘り備えていることを特徴とする外壁材用留め金具。
【発明の詳細な説明】
【技術分野】
【０００１】
本発明は、外壁材の連結構造と外壁材用留め金具に関するものである。
【背景技術】
【０００２】
鉄骨造の胴縁留め工法では、通常、図６に示すように、所定間隔で立設されている胴縁３に、パネル状の外壁材１を貫通するビス９によって外壁材１を固定し、埋め込んだビス９の頭部のパテ埋めを行っている。そして、外壁材１とこれに隣接する外壁材１との間の目地部にシーリングを行うことで、外壁材１背後への雨水の漏水を防いでいる。この場合、シーリングが劣化等で切れてしまうと外壁材１背後へ漏水してしまう。
【０００３】
このために、特許文献１には、図７に示すように、外壁材１の上辺の裏面側に裏実部１２を設けるとともに下辺の表面側に表実部１１を設けて相じゃくりで外壁材１同士を接続する外壁材の連結構造において、上下及び左右に隣接する４枚の外壁材１の角部に配置された留め金具２によって外壁材１を躯体側に留め付けると共に、外壁材１の裏実部１２の表実部１１と対向する部位にシール材８を配したものが開示されている。この外壁材の連結構造では、目地部にシーリングを行えば、シーリングによる１次防水に加え、シール材８によって２次防水もなされることになる。
【先行技術文献】
【特許文献】
【０００４】
【特許文献１】特開２００７−３２１５１０号公報
【発明の概要】
【発明が解決しようとする課題】
【０００５】
しかし、上記の特許文献１の外壁材の連結構造において、外壁材１に反り等の変形が生じると、外壁材１の角部は留め金具２によって変形が抑制されているものの、留め金具２が施工されていない他の部分は角部よりも変形してシール材８と表実部１１との間に隙間が生じやすく、外壁材１背後へ漏水してしまうことになる。
【０００６】
本発明は上記問題に鑑みてなされたもので、より確実な防水性を得ることができる外壁材の連結構造と外壁材用留め金具を提供することを目的とする。
【課題を解決するための手段】
【０００７】
本発明にかかる外壁材の連結構造は、上下に隣接して上下端面同士が突きつけられた一対の外壁材の連結構造であって、前記上下端面の間に配設されて前記一対の外壁材に係合する係合部を備えるとともに建物の躯体側に固定される留め金具によって前記一対の外壁材がその全幅に亘って前記躯体側に留め付けられており、前記下方側外壁材と前記留め金具との間並びに前記上方側外壁材と前記留め金具との間には、これらの間をそれぞれ水密とするシール材が前記外壁材の全幅に亘ってそれぞれ配されていることに特徴を有している。
【０００８】
そして本発明に係る外壁材用留め金具は、上下に隣接して上下端面同士が突きつけられる一対の外壁材を建物の躯体側に留め付ける外壁材用留め金具であって、前記躯体側に固定される固定部と、該固定部から外方に突出して前記上下の外壁材の上下端面の間で前記一対の外壁材に係合する係合部とを備えて前記一対の外壁材をその全幅に亘り前記躯体に留め付けるものであるとともに、上方側の外壁材に接するシール材と、下方側の外壁材に接するシール材とを前記外壁材の全幅方向の全長に亘り備えていることに特徴を有している。
【発明の効果】
【０００９】
本発明によれば、上下の外壁材をこれら外壁材の全幅にわたって建物の躯体側に留め付ける留め金具と、上方側の外壁材及び下方側の外壁材との間にシール材が配されているために、外壁材に反り等の変形が生じても隙間が生じる虞が非常に小さく、目地部に配するシーリングが切れた時はもちろん、目地部にシーリングを配していない状態においても、外壁材背後への漏水の虞が殆どなく、防水性を高めることができる。
【図面の簡単な説明】
【００１０】
【図１】本発明の実施の形態の一例における概略断面図である。
【図２】同上の破断斜視図である。
【図３】本発明における留め金具の具体例の一例を示しており、Ａは斜視図、Ｂは断面図である。
【図４】同上の他例の断面図である。
【図５】Ａ〜Ｈは夫々シール材の配置の異なる例を示す断面図である。
【図６】従来例の斜視図である。
【図７】他の従来例の断面図である。
【発明を実施するための形態】
【００１１】
本発明の外壁材の連結構造は、上下に隣接して上下端面同士が突きつけられた一対の外壁材１，１の連結構造であり、前記上下端面の間に配設されて前記一対の外壁材１，１に係合する係合部２４を備えるとともに建物の躯体側に固定される留め金具２によって前記一対の外壁材１，１がその全幅に亘って前記躯体側に留め付けられている。そして前記下方側外壁材１と前記留め金具２との間並びに前記上方側外壁材１と前記留め金具２との間には、これらの間をそれぞれ水密とするシール材４，４が前記外壁材１，１の全幅に亘ってそれぞれ配されたものである。
【００１２】
前記一対の外壁材１，１の上下端面間の隙間には、前記シール材４，４よりも外方側においてシーリング５が施されていることが好ましく、また、前記一対の外壁材１，１の上下端面間の隙間には、前記シール材４，４よりも外方側に外気と略等圧の等圧空間が設けられていることも好ましい。
【００１３】
上方側の外壁材１の下端面には表実部１１と該表実部１１の裏側に位置する係止溝１３が形成され、下方側の外壁材１の上端面には裏実部１２が形成されており、前記留め金具２の前記係合部２４は、前記躯体側に固定される固定部２０から外方に突出して前記上方側の外壁材１の下端面と前記下方側の外壁材１の裏実部１２との間に前記一対の外壁材１，１の全幅に亘って配設される長尺の突出片２３と、該突出片２３から上方に延びて前記係止溝１３に係止する係止片２５と、前記突出片２３から下方に延びて前記下方側の外壁材１の裏実部１の外面側に対向する対向片２６とを有しており、前記シール材４，４は、前記係合部２４と前記上方側の外壁材１の下端面との間及び前記係合部２４と前記下方側の外壁材１の前記裏実部１２との間に、前記一対の外壁材１，１の全幅に亘って配されていることも好ましい。
【００１４】
また、本発明の外壁材用留め金具は、上下に隣接して上下端面同士が突きつけられる一対の外壁材１，１を建物の躯体側に留め付ける外壁材用留め金具２であり、前記躯体側に固定される固定部２０と、該固定部２０から外方に突出して前記上下の外壁材１，１の上下端面の間で前記一対の外壁材１，１に係合する係合部２４とを備えて前記一対の外壁材１，１をその全幅に亘り前記躯体に留め付けるものであるとともに、上方側の外壁材１に接するシール材４と、下方側の外壁材１に接するシール材４とを前記外壁材１，１の全幅方向の全長に亘り備えたものとなっている。
【００１５】
以下、本発明を図示の実施例に基づいて詳述すると、図１及び図２に示す外壁材１は、その上端面の裏面側端部から上方に向けて裏実部１２を突出させているとともに、下端面の表面側部分から下方に向けて表実部１１を突出させている横長矩形のパネルである。また、外壁材１の下端面の表実部１１の裏側に、外壁材１の全幅に亘って係止溝１３が形成されている。この外壁材１は、窯業系のものであっても、金属サイディングであっても良く、その材質は問わない。
【００１６】
外壁材１は、留め金具２によって建物の躯体に設けた胴縁（図示例では縦胴縁）３に固定されるのであるが、一般的な留め金具２が短尺で外壁材１の胴縁３付近のみに係止するものであるのに対し、ここにおける留め金具２は、外壁材１の全幅に等しい長さを有するとともに、外壁材１をその全幅に亘って建物の躯体に留め付けるものとなっている。
【００１７】
図示例の留め金具２は、胴縁３に固定される矩形板状の固定部２０と、固定部２０の上端から前方側に突出した後、上方へ折れ曲がる上側片２１と、固定部２０の下端から前方側に上下外壁材１，１の間を突出し、これら両外壁材１，１と外壁材１，１の全幅に亘って係合する係合部２４とを備える。この係合部２４は、固定部２０の下端から前方に突出した突出片２３と、突出片２３の前端から上方側に突出する係止片２５と、突出片２３の前端から下方側に突出する対向片２６を備える。そして、上記突出片２３は、固定部２０の下端から前方に突出した後、上方へ折れ曲がる下側片部２２と、下側片部２２の上端から上下外壁材１，１の間を前方に突出する突出片部２７と、を有している。突出片部２７の上面側と下面側とには、夫々シール材４，４が取り付けられている。
【００１８】
上記シール材４は、水密性の確保という点から独立気泡の合成樹脂発泡体を用いることが好ましく、例えばＥＰＤＭ（エチレン・プロピレンゴム）を好適に用いることができるが、水密性を確保できるものであれば、この材質に限定されるものではない。
【００１９】
図３に上記留め金具２を板金加工によって形成した場合の具体例の一例を示す。この例では、突出片２３の先端を下方に折り曲げることで対向片２６を形成し、突出片２３の先端側を切り起こすことで前上方に突出する係止片２５を形成している。係止片２５を切り起こしで形成していることから、係止片２５と対向片２６とは突出片２３の長手方向全体に亘って交互に複数設けられている。また、図３に示す留め金具２では、上側片２１の先端部を後方側に折り返すことで、強度を高めるとともに、上方側の外壁材１を設置する際に折れ曲がり部分に当接するで、上方側の外壁材１を留め金具２に容易にセットすることが可能となっている。
【００２０】
このように構成された留め金具２による外壁材１の胴縁３への固定は、固定部２０を胴縁３にビス止めした留め金具２の係止片２５及び対向片２６を、相じゃくりで接合される上下に並んだ外壁材１，１に係止することで行う。すなわち、下方側の外壁材１の上端の裏実部１２の前面と上方側の外壁材１の下端の表実部１１の裏面との間に対向片２６を配し、上方側の外壁材１の係止溝１３に係止片２５を位置させる。
【００２１】
上記係止により、突出片２３と係止片２５と対向片２６とで構成される係合部２４が、上下の外壁材１，１の連結部を建物の躯体に留め付けることになる。
【００２２】
この時、突出片部２７の上面に設けたシール材４は、上方側の外壁材１の背面側の下端面と接し、突出片部２７の下面に設けたシール材４は、下方側の外壁材１の背面側にある裏実部１２の上端面と接する。
【００２３】
上述のように、留め金具２は、外壁材１の全幅に略等しい長さを有しており、突出片２３及び突出片２３に配したシール材４，４も、外壁材１の全幅に亘る長さのものとなっているために、上下の外壁材１，１は水密状態で連結されることになる。また、上記係合部２４は、外壁材１の全幅に亘って存在していることから、外壁材１が変形してシール材４から離れてしまうこともない。
【００２４】
上下の外壁材１，１の間の横目地部には、図１に示すように、別途コーキング剤による１次防水としてのシーリング５を行うことで、上記シール材４，４は２次防水として機能する。これにより、比較的高い防水性を外壁材１，１間の連結部にもたらす。
【００２５】
なお、シール材４，４が十分な防水性を発揮するために、上下の外壁材１，１間の横目地部に１次防水としてのシーリング５は必ずしも必要というわけではなく、シーリング５無しの施工とすることを妨げない。このために、図４に示すように、上下の外壁材１，１の前面側の上下対向面を傾斜面とすることで微小隙間の横目地とし、シール材４，４よりも外方側で且つ留め金具２の係止片２５及び対向片２６が納まる空間を外部と略等圧の空間としてもよい。該等圧空間は、横目地部に浸入しようとする水を外方側に押し返す。従って等圧空間が１次防水を実現することになる。
【００２６】
ところで上記シール材４，４は、上下双方の外壁材１，１の相じゃくり部分において、一方のシール材４が一方の外壁材１と留め金具２との間を水密に、他方のシール材４が他方の外壁材１と留め金具２との間を水密にするものとなっておればよく、突出片２３の突出片部２７の上下面にシール材４，４を設けたものに限定されない。
【００２７】
ちなみに、留め金具２にシール材４，４を設けておく場合、上記実施例では突出片２３の突出片部２７の上下面にシール材４，４を配しているが、これは前述のように、係止片２５を切り起こしで形成している関係で、係止片２５及び対向片２６が共に留め金具２の長手方向全幅に亘って存在していないのに対して、突出片２３は留め金具２の長手方向全幅に亘って存在しているためである。上記係止片２５と対向片２６にシール材４を配した場合、シール材４も留め金具２の全幅において、途中が途切れたものとなってしまう。
【００２８】
逆に言えば、係止片２５及び対向片２６が共に留め金具２の全幅に亘って存在している留め金具２を用いる場合は、シール材４を係止片２５や対向片２６に設けてもよい。図５に留め金具２に対する一対のシール材４，４の配置場所の複数例を示す。
【００２９】
図５Ａに示す留め金具２では、一方のシール材４が突出片部２７の上面に取り付けられる一方、他方のシール材４が対向片２６の後面に取り付けられている。そして、突出片部２７の上面に取り付けたシール材４が上方側の外壁材１の背面側の下端面に接し、対向片２６の後面に取り付けたシール材４が下方側の外壁材１の裏実部１２の前面に接する。
【００３０】
図５Ｂに示す留め金具２では、一方のシール材４が対向片２６の前面に取り付けられる一方、他方のシール材４が対向片２６の後面に取り付けられている。そして、対向片２６の前面に取り付けたシール材４が上方側の外壁材１の表実部１１の後面に接し、対向片２６の後面に取り付けたシール材４が下方側の外壁材１の裏実部１２前面に接する。
【００３１】
図５Ｃに示す留め金具２では、一方のシール材４が係止片２５の後面に取り付けられる一方、他方のシール材４が対向片２６の後面に取り付けられている。そして、係止片２５の後面に取り付けたシール材４が上方側の外壁材１の係止溝１３の後側内面に接し、対向片２６の後面に取り付けたシール材４が下方側の外壁材１の裏実部１２前面に接する。
【００３２】
図５Ｄに示す留め金具２では、一方のシール材４が対向片２６の前面に取り付けられる一方、他方のシール材４が突出片部２７の下面に取り付けられている。そして、対向片２６の前面に取り付けたシール材４が上方側の外壁材１の表実部１１の後面に接し、突出片部２７の下面に取り付けたシール材４が下方側の外壁材１の裏実部１２の上端面に接する。
【００３３】
図５Ｅに示す留め金具２では、一方のシール材４が係止片２５の前面に取り付けられる一方、他方のシール材４が突出片部２７の下面に取り付けられている。そして、係止片２５の前面に取り付けたシール材４が上方側の外壁材１の表実部１１の後面に接し、突出片部２７の下面に取り付けたシール材４が下方側の外壁材１の裏実部１２の上端面に接する。
【００３４】
いずれの例においても、一方のシール材４が上方の外壁材１に、他方のシール材４が下方の外壁材１に接することにより、上下の外壁材１，１間を水密にする。
【００３５】
下方側の外壁材１に接するシール材４については、図５Ｆ〜図５Ｈに示すように、留め金具２の下側片部２２の立ち上がり片前面に取り付けてもよい。この場合、上方側の外壁材１に接するシール材４は、図５Ｆに示すように、突出片部２７の上面に取り付けるか、図５Ｇに示すように、対向片２６の前面に取り付けるか、図５Ｈに示すように、係止片２５の前面に取り付ければよい。
【００３６】
上方側の外壁材１に接するシール材４にしても、突出片部２７の根元（下側片部２２の先端）から上方に延びて上方側の外壁材１の背面側に位置する片を留め金具２が備えるならば、この片の前面に配してもよい。
【００３７】
つまり、上下の外壁材１，１の上下方向突き合わせ部分において、一方のシール材４が一方の外壁材１と留め金具２との間を水密とし、他方のシール材４が他方の外壁材１と留め金具２との間を水密とすることで、上下の外壁材１，１間を水密にすることを、外壁材１の全幅において確保できればよい。
【００３８】
また、図示例では、外壁材１の全幅に略等しい長さの留め金具２を示したが、これに限定されるものではない。複数の留め金具２を横に並べることで、外壁材１の全幅において、上下の外壁材１間に留め金具２が介在するようにしても、同等の防水性を確保することができる。
【００３９】
このほか、留め金具２と外壁材１との係合構造は、図示の相じゃくり構成を有する外壁材１用のものに限定されない。上下の外壁材１，１の上下端面間において留め金具２の係合部２４が外壁材１と係合するものにおいて、上方側の外壁材１にその全幅において接するシール材４と、下方側の外壁材１にその全幅において接するシール材４とを留め金具２に設けることができるものであればよい。
【００４０】
以上の説明では、シール材４を留め金具２に取り付けて外壁材１に接触させる例で示したが、外壁材１の連結構造としては、外壁材１側にシール材４を設けて、このシール材４が留め金具２に接するものであってもよい。この場合のシール材４の外壁材１への取り付け箇所は、上記の各例における留め金具２に取り付けたシール材４が接する部分とすればよい。
【００４１】
留め金具２と上下の外壁材１，１との間の水密のための２つのシール材４，４のうちの１つを留め金具２に、他の１つを外壁材１側に取り付けておくようにしてもよく、更には、シール材４，４を留め金具２及び外壁材１とは別体で用意し、外壁材１の施工時に外壁材１と留め金具２との間に挟み込むようにしてシール材４，４を配置するものであってもよい。
【００４２】
なお、縦目地部分に関しては、図２に示すように、左右の外壁材１，１間に断面ハット状の金属製バックアップ材７を配するとともに、バックアップ材７の左右両側面に夫々シール材４，４を配し、外壁材１の側端面がシール材４に接するようにすればよい。そして、縦目地部に１次防水としてのシーリングを行うことで、より確実な防水性を得ることができる。
【００４３】
なお、シール材４に関しては、２つ施されている実施例についてのみ説明したが、これに限られることは無く、例えば図５Ｂにおける２つのシール材４，４を断面Ｕ字状の１つのシール材４で置き換えた場合のように、一対の外壁材１，１の上下端面間の隙間に亙って１つのシール材が施されていてもよく、また、３つ以上施されていても良いものである。
【符号の説明】
【００４４】
１  外壁材
２  留め金具
３  胴縁
４  シール材
５  コーキング
１１  表実部
１２  裏実部
１３  係止溝
２０  固定部
２３  突出片
２４  係合部
２５  係止片
２６  対向片
２７  突出片部
【図１】
2017002461.tif 000003
【図２】
2017002461.tif 000004
【図３】
2017002461.tif 000005
【図４】
2017002461.tif 000006
【図５】
2017002461.tif 000007
【図６】
2017002461.tif 000008
【図７】
2017002461.tif 000009